(57)【要約】      （修正有）【課題】昼間は、その本来の外観意匠性をもち、夜間は、その外観意匠がシルエット光に浮かび上がり、特別な配線工事も必要なく、ある程度の照明効果により防犯にも役立つ建築用壁飾りを提供する。【解決手段】建築用壁飾りの全体形状を形成する基材部と蓄電池と感知センサーと発光体とを組み合わせたことを特徴とする建築用壁飾りであり、発光体は、ガラス板または樹脂板はプラスチックチューブとＬＥＤ（発光ダイオード）とを接合させ面発光する建築用壁飾り。【選択図】図１
0003133135.tif 000002
【実用新案登録請求の範囲】
【請求項１】
建築用壁飾りであって、壁飾りの全体形状を形成する基材部と蓄電池と感知センサーと発光体とを組み合わせたことを特徴とする建築用壁飾り。
【請求項２】
前記発光体は、ガラス板または樹脂板はプラスチックチューブとＬＥＤ（発光ダイオード）とを接合させ面発光することを特徴とする請求項１に記載の建築用壁飾り。
【考案の詳細な説明】
【技術分野】
【０００１】
本考案は、建築用壁飾りに関するものである。
【背景技術】
【０００２】
従来より、建物の妻部の意匠性向上のために、デザイン化された動植物などの形状をした妻飾りを建物の壁面にアクセントとして取り付けることが行われている。上記妻飾りは、耐候性、外観意匠を考慮して、金属製の鋳物、または発泡ウレタン、ＦＲＰ等の樹脂からなる一体形状のものが多く用いられている。
【０００３】
しかし、従来の妻飾りでは、昼間はその外観意匠が見えるが、夜間はその外観意匠を見ることが出来ない。また、防犯に役立つ機能を備えてはいない。防犯上照明器具を備えたい場合は、新築時やリフォーム時に電気配線工事が事前に必要となり、大がかりな工事となり費用がかかる。
【０００４】
こうした妻飾りには、例えば特許文献１に示すように主なベース部とプレート部を組み合わせた妻飾りがある。また、こうした妻飾りの固定構造として、例えば特許文献２がある。更に、太陽電池パネルと照明器具を組み合わせた玄関庇ユニットの特許文献３がある。
【０００５】
【特許文献１】実用新案登録第３１１９３１９号
【特許文献２】特開２００５−３１４９０５
【特許文献３】特開２００６−１１２１３５
【考案の開示】
【考案が解決しようとする課題】
【０００６】
本考案は、昼間は、その本来の外観意匠性をもち、夜間は、その外観意匠がシルエット光に浮かび上がり、特別な配線工事も必要なく、ある程度の照明効果により防犯にも役立つ建築用壁飾りを提案することを目的とする。
【課題を解決するための手段】
【０００７】
前記目的を達成するために、本考案は、建築用壁飾りの全体形状を形成する基材部と蓄電池と感知センサーと発光体とを組み合わせたことを特徴とする建築用壁飾りであり、前記発光体は、ガラス板または樹脂板はプラスチックチューブとＬＥＤ（発光ダイオード）とを接合させ面発光することを特徴とする建築用壁飾り。
【考案の効果】
【０００８】
本考案にかかる建築用壁飾りによれば、昼間は従来の建築用壁飾りと同様にその本来のデザインの意匠性を保持する一方、夜間は、蓄電池で感知センサーで夜を感知し、発光体で発光させることが出来る。具体的には、発電効率の良いＬＥＤ（発光ダイオード）をガラス板または樹脂板またはプラスチックチューブと接合させて面発光させるので、ガラス板や樹脂板やプラスチックチューブの面全体が発光して発光効率が良く、少ない電力で発光する。また、この建築用壁飾りは、独立して作用するため、電気配線や工事に特別なものを必要としない。このため、新築時やリフォームの場合にも簡単に施工することが出来る。
【考案を実施するための最良の形態】
【０００９】
図１は実施例１の全体の正面図代用写真であり、図２はその裏面代用写真であり、図３は発光体の構成図である。図４は、実施例２の正面代用図写真であり、図５は、実施例３の正面図代用写真である。図６は、実施例４の正面図代用写真である。  以下、本考案の実施例１〜４を図面に基づいて説明する。図１は、本考案の建築用壁飾り１に発光体（発光ダイオード）３を任意の丸い意匠柄（図中４箇所）に備え、感知センサー５とその裏面側に蓄電池４を備えた構成である。
【００１０】
（建築用壁飾り）
建築用壁飾りは、一般に、全体形状を形成する基材部と外観意匠を形成する外観意匠部とで構成される。使用する場所は、建物の妻部や玄関周辺の壁、ベランダの壁などであり、その意匠性向上のために、デザイン化された動植物などの形状をした建築用壁飾りを建物の壁面にアクセントとして取り付けることが行われている。  上記建築用壁飾りは、耐候性、外観意匠を考慮して、金属製の鋳物、または発泡ウレタン、ＦＲＰ等の樹脂からなる一体形状のものが多く用いられている。  そして、上記建築用壁飾りは、モルタル壁やサイディング壁等により構成された上記妻部や玄関周辺やベランダの壁面に、ビス等の固定具を打ち込むことにより固定される。
【００１１】
（蓄電池）
蓄電池は、通常の高性能電池でも問題はないが、充電を行うことにより電気を蓄えて電池として使用でき、繰り返し使用することが出来る化学電池が好ましく、アルカリイオン電池、ニッケル水素電池、ニッケルカドニウム電池、リチウム電池、リチウムイオン電池等の種類があるが、建築用壁飾りの裏面に使用するので安価で、小型軽量で長時間の蓄電力のあるアルカリイオン電池またはリチウムイオン電池がより好ましいが、特に限定する必要はない。
【００１２】
（感知センサー）
感知センサーも多様なセンサーがあるが、昼夜を感知するセンサーは、明るいときは抵抗値が高くなり、ほとんど電気を流さず、暗くなると抵抗値が急激に減って、電気を流す光センサーが望ましい。また、人感センサー（赤外線感知センサー）の感知範囲は内蔵されたセンサーから直線距離を感知できるものがよく、感知後１００％点灯し、感知されなくなってから減光するまでの時間は内蔵のタイマにより２〜１０分の範囲内に設定されていることが望ましい。特に限定されないが小型軽量の物が、更に望ましい。
【００１３】
（発光体）
発光体は、ガラス板や樹脂板やプラスチックチューブと発光ダイオードとを接合し一体化されたものである。発光ダイオードは、順方向に電圧を加えた際に発光する半導体素子のことである。ＬＥＤ (エルイーディー) とも呼ばれ、発光原理はエレクトロルミネセンス 効果を利用している。また、寿命も白熱電球に比べてかなり長い。発光色は用いる材料によって異なり、紫外線領域から可視光域、赤外線領域で発光するものまで製造することができる。小さい電力で長時間の発光にも耐えうるものである。このＬＥＤとガラス板や樹脂板やプラスチックチューブを接合させることによりガラス板や樹脂板やプラスチックチューブの面全体が発光して面発光となり、効率の良い効果がある。ＬＥＤは、熱の発生も少ないので接触による加熱の心配もなく安全であり、ＬＥＤの多色な色とガラス板や樹脂板やプラスチックチューブの多色な色の組み合わせで複雑な表現が可能である。
【００１４】
発光体（発光ダイオード）は、赤とか青とか緑の良好な色の光を夜間等に出すことができ、また、赤，緑，青の３色で構成された発光体（発光ダイオード）を全部点灯させれば白色光で良好に付近を照明することができる。この発光体（発光ダイオード）は低電圧で点灯させることができ、しかも消費電力が少ないため、高性能乾電池や蓄電池で十分に長期間の夜間でも、発光体（発光ダイオード）を点灯させ続けておくことができるものであり、発光体（発光ダイオード）は非常に小さいものであるためコンパクトに建築用壁飾り１に設けることができ、また必要に応じ、発光体（発光ダイオード）の数を変更させたりしても良い。また、発光体（発光ダイオード）からの光は指向性があるため、特に照明したい場所に向けて光を発するように発光体（発光ダイオード）を設置しておくことも可能である。
【００１５】
樹脂板としては、フェノール樹脂、ポリエステル樹脂、エポキシ樹脂、シリコン樹脂、メラミン樹脂等の熱硬化性樹脂とポリエチレン樹脂、ポリプロピレン樹脂、塩ビ樹脂、ＡＢＳ樹脂、アクリル樹脂、スチロール樹脂、ポリカーボネート樹脂の熱可塑性樹脂がある。特に限定する必要はないが、色の変化や安価なことから、アクリル樹脂が望ましい。また、プラスチックチューブも樹脂板と同様な種類があるが、シリコンチューブが耐久性と加工しやすさから望ましい。
【００１６】
（実施例１）
図１に示すように、建築用壁飾り１の基材の丸い意匠柄の空隙部に、発光体（発光ダイオード）３が設けられ、蓄電池４の電気により夜間等に感知センサー５の光センサーで昼夜を感知し、発光体（発光ダイオード）３が点灯されるように構成されている。発光体（発光ダイオード）３と蓄電池４と感知センサー５は電気配線で接続されている。
【００１７】
図２に示すように、建築用壁飾り１の裏面代用写真でありその裏面側に、蓄電する蓄電池４があり、昼夜の切り替えをする光センサー５を設けている。蓄電池４は、アルカリイオン電池、リチウムイオン電池等の従来からある蓄電効率の良い電池を使用すればよい。出来れば、小型軽量が望ましい。また、光センサー５も従来からある市販用センサーで何ら問題はない。これらの発光体（発光ダイオード）３と蓄電池４と光センサー５を電気配線している。
【００１８】
図３（ａ）に示すように、発光体（発光ダイオード）３は、ガラス板やアクリル板やシリコンチューブ等の透明又は半透明またはカラー色の物でよく、その木口に直接発光源（（ｂ）に示す）としてのＬＥＤを接着剤に接触させて、発光体の全体を点灯させれば、発光効率が良く、面全体が照明装置となる。発光体（発光ダイオード）３は、赤とか青とか緑の良好な色の光を夜間等に出すことができ、また、赤，緑，青の３色で構成された発光体（発光ダイオード）３を全部点灯させれば白色光で良好に付近を照明することができる。この図３では、３色で構成しているが、単独の１色でも消費電力等を考慮して実施すればよく、特に限定するものではない。
【００１９】
（実施例２）
図４に示すように、別の意匠の建築用壁飾り１は、その外観意匠部へ、蓄電池４（図示せず）の電気により夜間等にシリコンチューブの発光体（発光ダイオード）３が点灯されるように構成されており、その他は実施例１と同様である。
【００２０】
（実施例３）
図５に示すように、別の意匠の建築用壁飾り１の外観意匠部へ、建築用壁飾り１の細長い模様デザインの意匠柄に沿って取り付け、蓄電池４（図示せず）の電気により夜間等に感知センサー５の光センサーで昼夜を感知し、夜間等にシリコンチューブの発光体（発光ダイオード）３が点灯されるように構成されており、その他は実施例１と同様である。
【００２１】
（実施例４）
図６は、図５に示すものと同様な意匠の建築用壁飾り１の外観意匠部へ、建築用壁飾り１の細長い模様デザインの意匠柄の裏面に沿って取り付け、蓄電池４（図示せず）の電気により夜間等に感知センサー５の光センサーで昼夜を感知し、シリコンチューブの発光体（発光ダイオード）３が点灯されるように構成されており、外観意匠の陰影効果を表現したものであり、その他は実施例１と同様である。  
【産業上の利用可能性】
【００２２】
本考案によれば、昼間は、その本来のデザインによる意匠性をもち、夜間は、独特な意匠デザインとしてシルエット状に浮かび上がり、小さい発光体（発光ダイオード）のＬＥＤとガラス板や樹脂板やプラスチックチューブで広い面積で面発光し、特別な配線工事も必要なく、ある程度の照明により防犯にも効果のある建築用壁飾り提供することができる。
【図面の簡単な説明】
【００２３】
【図１】実施例１の建築用壁飾りの正面を示した図面代用写真である。
【図２】実施例１の建築用壁飾りの裏面を示した図面代用写真である。
【図３】発光体（発光ダイオード）の構成図である。
【図４】実施例２の建築用壁飾りの正面を示した図面代用写真である。
【図５】実施例３の建築用壁飾りの正面を示した図面代用写真である。
【図６】実施例４の建築用壁飾りの正面を示した図面代用写真である。
【符号の説明】
【００２４】
１    建築用壁飾り
３    発光体（発光ダイオード）
４    蓄電池
５    感知センサー
【図１】
0003133135.tif 000003
【図２】
0003133135.tif 000004
【図３】
0003133135.tif 000005
【図４】
0003133135.tif 000006
【図５】
0003133135.tif 000007
【図６】
0003133135.tif 000008
【手続補正書】
【提出日】平成19年4月25日(2007.4.25)
【手続補正１】
【補正対象書類名】実用新案登録請求の範囲
【補正対象項目名】請求項２
【補正方法】変更
【補正の内容】
【請求項２】
前記発光体は、ガラス板、樹脂板またはプラスチックチューブとＬＥＤ（発光ダイオード）とを接合させ面発光することを特徴とする請求項１に記載の建築用壁飾り。